(57)【特許請求の範囲】
【請求項１】
クライアント側のコンピュータが、使用者の命令に基づいて、サーバにリソースのＩＤと上記リソースの処理方式とを含むリソース処理要求を送信するステップと、
上記サーバから、移動端末ＡＰＰのインターフェースのＩＤを含み、移動端末が上記移動端末ＡＰＰのインターフェースを呼び出して上記リソースを処理するように指示するための第１の指示と、上記リソースの記憶先アドレスとを受信するステップと、
上記リソースの記憶先アドレスから上記リソースをダウンロードし、ダウンロードした上記リソースと上記第１の指示を移動端末に送信して、上記移動端末が上記移動端末ＡＰＰのインターフェースを呼び出して上記リソースを処理するようにするステップと
を含むことを特徴とする移動端末リソースの処理方法。
【請求項２】
上記リソースの記憶先アドレスから上記リソースをダウンロードするステップは、
上記移動端末にインストールされているすべての移動端末ＡＰＰのＩＤをスキャンするステップと、
上記サーバから送信された上記移動端末ＡＰＰのＩＤに基づいて、上記移動端末に上記移動端末ＡＰＰがインストールされているか否かを検出するステップと、
上記移動端末に上記移動端末ＡＰＰがインストールされていることが検出されると、  上記リソースの記憶先アドレスから上記リソースをダウンロードするステップと
を含むことを特徴とする請求項１に記載の移動端末リソースの処理方法。
【請求項３】
上記サーバから、上記移動端末ＡＰＰのインターフェースのＩＤと上記リソースのＩＤとを含み、移動端末が上記移動端末ＡＰＰのインターフェースを呼び出して上記リソースの処理結果を返すように指示するための第２の指示を受信するステップと、
上記第２の指示を上記移動端末に送信し、上記移動端末からの上記リソースの処理結果を上記サーバに送信するステップと
をさらに含むことを特徴とする請求項１または２に記載の移動端末リソースの処理方法。
【請求項４】
サーバが、クライアント側のコンピュータから、リソースのＩＤと上記リソースの処理方式とを含むリソース処理要求を受信するステップと、
予め設定されたリソースの処理方式-移動端末ＡＰＰのインターフェースのＩＤの対応関係から、上記リソースの処理方式に対応し、且つ上記リソースを処理する移動端末ＡＰＰのインターフェースのＩＤを取得し、予め設定されたリソースのＩＤ-記憶先アドレスの対応関係から、上記リソースのＩＤに対応する上記リソースの記憶先アドレスを取得するステップと、
移動端末ＡＰＰのインターフェースのＩＤを含み、移動端末が上記移動端末ＡＰＰのインターフェースを呼び出して上記リソースを処理するように指示するための第１の指示を生成し、上記リソースの記憶先アドレスと上記第１の指示とを上記クライアント側のコンピュータに返すステップと
を含むことを特徴とする移動端末リソースの処理方法。
【請求項５】
上記移動端末ＡＰＰのインターフェースのＩＤと上記リソースのＩＤとを含み、移動端末が上記移動端末ＡＰＰのインターフェースを呼び出して上記リソースの処理結果を返すように指示するための第２の指示を生成し、上記第２の指示を上記クライアント側のコンピュータに送信するステップをさらに含むことを特徴とする請求項４に記載の移動端末リソースの処理方法。
【請求項６】
移動端末が、クライアント側のコンピュータから、移動端末ＡＰＰのインターフェースのＩＤを含み、移動端末が上記移動端末ＡＰＰのインターフェースを呼び出してリソースを処理するように指示するための第１の指示と、上記リソースを受信するステップと、
上記第１の指示に応じて、上記移動端末ＡＰＰのインターフェースを呼び出して上記リソースを処理するステップと
を含むことを特徴とする移動端末リソースの処理方法。
【請求項７】
上記クライアント側のコンピュータから、上記移動端末ＡＰＰのインターフェースのＩＤと上記リソースのＩＤとを含み、移動端末が上記移動端末ＡＰＰのインターフェースを呼び出して上記リソースの処理結果を返すように指示するための第２の指示を受信するステップと、
上記第２の指示に応じて、上記移動端末ＡＰＰのインターフェースを呼び出して上記リソースの処理結果を返し、上記リソースの処理結果を上記クライアント側のコンピュータに送信するステップと
をさらに含むことを特徴とする請求項６に記載の移動端末リソースの処理方法。
【請求項８】
使用者の命令に基づいて、サーバにリソースのＩＤと上記リソースの処理方式とを含むリソース処理要求を送信する送信モジュールと、
上記サーバから、移動端末ＡＰＰのインターフェースのＩＤを含み、移動端末が上記移動端末ＡＰＰのインターフェースを呼び出して上記リソースを処理するように指示するための第１の指示と、上記リソースの記憶先アドレスとを受信する第１の受信モジュールと、
上記リソースの記憶先アドレスから上記リソースをダウンロードし、ダウンロードした上記リソースと上記第１の指示を移動端末に送信して、上記移動端末が上記移動端末ＡＰＰのインターフェースを呼び出して上記リソースを処理するようにするダウンロードモジュールと
を含むことを特徴とする移動端末リソースの処理装置。
【請求項９】
上記ダウンロードモジュールは、
上記移動端末にインストールされているすべての移動端末ＡＰＰのＩＤをスキャンし、
上記サーバから送信された上記移動端末ＡＰＰのＩＤに基づいて、上記移動端末に上記移動端末ＡＰＰがインストールされているか否かを検出し、
上記移動端末に上記移動端末ＡＰＰがインストールされていることが検出されると、上記リソースの記憶先アドレスから上記リソースをダウンロードし、ダウンロードした上記リソースと上記第１の指示とを移動端末に送信して、上記移動端末が上記移動端末ＡＰＰのインターフェースを呼び出して上記リソースを処理するようにすることを特徴とする請求項８に記載の移動端末リソースの処理装置。
【請求項１０】
上記第１の受信モジュールは、さらに、
上記サーバから、上記移動端末ＡＰＰのインターフェースのＩＤと上記リソースのＩＤとを含み、移動端末が上記移動端末ＡＰＰのインターフェースを呼び出して上記リソースの処理結果を返すように指示するための第２の指示を受信し、
上記第２の指示を上記移動端末に送信し、上記移動端末からの上記リソースの処理結果を上記サーバに送信することを特徴とする請求項８または９に記載の移動端末リソースの処理装置。
【請求項１１】
クライアント側のコンピュータから、リソースのＩＤと上記リソースの処理方式を含むリソース処理要求を受信する第２の受信モジュールと、
予め設定されたリソースの処理方式-移動端末ＡＰＰのインターフェースのＩＤの対応関係から、上記リソースの処理方式に対応し、且つ上記リソースを処理する移動端末ＡＰＰのインターフェースのＩＤを取得し、予め設定されたリソースのＩＤ-記憶先アドレスの対応関係から、上記リソースのＩＤに対応する上記リソースの記憶先アドレスを取得する取得モジュールと、
移動端末ＡＰＰのインターフェースのＩＤを含み、移動端末が上記移動端末ＡＰＰのインターフェースを呼び出して上記リソースを処理するように指示するための第１の指示を生成し、上記リソースの記憶先アドレスと上記第１の指示とを上記クライアント側のコンピュータに返すフィードバックモジュールと
を含むことを特徴とする移動端末リソースの処理装置。
【請求項１２】
上記フィードバックモジュールは、さらに、
上記移動端末ＡＰＰのインターフェースのＩＤと上記リソースのＩＤとを含み、移動端末が上記移動端末ＡＰＰのインターフェースを呼び出して上記リソースの処理結果を返すように指示するための第２の指示を生成し、上記第２の指示を上記クライアント側のコンピュータに送信することを特徴とする請求項１１に記載の移動端末リソースの処理装置。
【請求項１３】
クライアント側のコンピュータから、移動端末ＡＰＰのインターフェースのＩＤを含み、移動端末が上記移動端末ＡＰＰのインターフェースを呼び出してリソースを処理するように指示するための第１の指示と、上記リソースとを受信する第３の受信モジュールと、
上記第１の指示に応じて、上記移動端末ＡＰＰのインターフェースを呼び出して上記リソースを処理する呼び出しモジュールと
を含むことを特徴とする移動端末リソースの処理装置。
【請求項１４】
上記第３の受信モジュールは、さらに、
上記クライアント側のコンピュータから、上記移動端末ＡＰＰのインターフェースのＩＤと上記リソースのＩＤとを含み、移動端末が上記移動端末ＡＰＰのインターフェースを呼び出して上記リソースの処理結果を返すように指示するための第２の指示を受信し、
上記呼び出しモジュールは、さらに、
上記第２の指示に応じて、上記移動端末ＡＰＰのインターフェースを呼び出して上記リソースの処理結果を返し、上記リソースの処理結果を上記クライアント側のコンピュータに送信することを特徴とする請求項１３に記載の移動端末リソースの処理装置。
【請求項１５】
プロセッサ、メモリ、及び１つ或いは１つ以上のプログラムを含み、
１つ或いは１つ以上のプログラムは、上記メモリに記憶され、１つ或いは１つ以上の上記プロセッサにより実行され、
上記１つ或いは１つ以上のプログラムは、
使用者の命令に基づいて、サーバにリソースのＩＤと上記リソースの処理方式とを含むリソース処理要求を送信するための指令と、
上記サーバから、移動端末ＡＰＰのインターフェースのＩＤを含み、移動端末が上記移動端末ＡＰＰのインターフェースを呼び出して上記リソースを処理するように指示するための第１の指示と、上記リソースの記憶先アドレスとを受信するための指令と、
上記リソースの記憶先アドレスから上記リソースをダウンロードし、ダウンロードした上記リソースと上記第１の指示を移動端末に送信して、上記移動端末が上記移動端末ＡＰＰのインターフェースを呼び出して上記リソースを処理するようにするための指令と
を含むことを特徴とするクライアント側のコンピュータ。
【請求項１６】
プロセッサ、メモリ、及び１つ或いは１つ以上のプログラムを含み、
１つ或いは１つ以上のプログラムは、上記メモリに記憶され、１つ或いは１つ以上の上記プロセッサにより実行され、
上記１つ或いは１つ以上のプログラムは、
クライアント側のコンピュータから、リソースのＩＤと上記リソースの処理方式とを含むリソース処理要求を受信するための指令と、
予め設定されたリソースの処理方式-移動端末ＡＰＰのインターフェースのＩＤの対応関係から、上記リソースの処理方式に対応し、且つ上記リソースを処理する移動端末ＡＰＰのインターフェースのＩＤを取得し、予め設定されたリソースのＩＤ-記憶先アドレスの対応関係から、上記リソースのＩＤに対応する上記リソースの記憶先アドレスを取得するための指令と、
移動端末ＡＰＰのインターフェースのＩＤを含み、移動端末が上記移動端末ＡＰＰのインターフェースを呼び出して上記リソースを処理するように指示するための第１の指示を生成し、上記リソースの記憶先アドレスと上記第１の指示とを上記クライアント側のコンピュータに返すための指令と
を含むことを特徴とするサーバ。
【請求項１７】
プロセッサ、メモリ、及び１つ或いは１つ以上のプログラムを含み、
１つ或いは１つ以上のプログラムは、上記メモリに記憶され、１つ或いは１つ以上の上記プロセッサにより実行され、
上記１つ或いは１つ以上のプログラムは、
クライアント側のコンピュータから、移動端末ＡＰＰのインターフェースのＩＤを含み、移動端末が上記移動端末ＡＰＰのインターフェースを呼び出してリソースを処理するように指示するための第１の指示と、上記リソースとを受信するための指令と、
上記第１の指示に応じて、上記移動端末ＡＰＰのインターフェースを呼び出して上記リソースを処理するための指令と
を含むことを特徴とする移動端末。
【請求項１８】
プロセッサに実行されることにより、請求項１から請求項７のいずれかに記載の移動端末リソースの処理方法を実現することを特徴とするプログラム。
【請求項１９】
請求項１８に記載のプログラムが記録された記録媒体。
【発明の詳細な説明】
【技術分野】
【０００１】
本発明は、通信分野に関し、具体的には、移動端末リソースの処理方法、装置、及びデバイスに関する。
本出願は、出願番号がＣＮ２０１３１０５３０３８４.３であって、出願日が２０１３年１０月３１日である中国特許出願に基づき優先権を主張し、当該中国特許出願のすべての内容を本願に援用する。
【背景技術】
【０００２】
スマートフォン（以下、携帯電話と略称する）は、携帯電話ネットワーク（例えば、モバイル通信用グローバルシステム（ＧｌｏｂａｌＳｙｓｔｅｍ ｏｆ Ｍｏｂｉｌｅ ｃｏｍｍｕｎｉｃａｔｉｏｎ、ＧＳＭ：登録商標と略称する）、或いはコード多重分割（Ｃｏｄｅ Ｄｉｖｉｓｉｏｎ Ｍｕｌｔｉｐｌｅ Ａｃｃｅｓｓ、ＣＤＭＡと略称する）ネットワーク）を利用して、例えば、イメージ、ＡＰＰ、音楽、ビデオなどの各種携帯電話リソースをダウンロードすることができる。一般的に、携帯電話は、Ｗｉ-Ｆｉ（登録商標：Ｗｉｒｅｌｅｓｓ Ｆｉｄｅｌｉｔｙ）がない状況で、携帯電話ネットワークからリソースをダウンロードする場合は、トラフィック量が発生して料金を払わなければならない。
【発明の概要】
【発明が解決しようとする課題】
【０００３】
携帯電話の使用者は、例えば、携帯電話ネットワークのトラフィックオーバヘッドを節約するために、パーソナルコンピュータ（Ｐｅｒｓｏｎａｌ Ｃｏｍｐｕｔｅｒ、ＰＣと略称する）を利用して、携帯電話に必要なリソースをＰＣにダウンロードした後、ＰＣにダウンロードされた携帯電話リソースを携帯電話に送信してもよい。使用者は、当該携帯電話リソースが携帯電話に送信された後、携帯電話に対してさらに関連の設定をしてから携帯電話リソースを使用することができる。壁紙の設定を例として説明すると、携帯電話は、ＰＣから送信されたイメージを受信した後その旨を使用者に提示し、使用者は、提示内容に応じて当該イメージを壁紙に設定する操作命令を送り、携帯電話が当該操作命令を実行して壁紙の設定を終了する。携帯電話リソースのダウンロードから携帯電話リソースの使用まで、複数の操作ステップが必要であり、その過程が非常に複雑であり、使用者の大量の時間を浪費する。
【０００４】
本発明は、関連技術で、携帯電話のリソースダウンロードから携帯電話のリソース使用までの操作ステップが複雑である問題を解決できる移動端末リソースの処理方法、装置、及びデバイスを提供する。当該デバイスは、クライアント側のコンピュータ、サーバ、及び移動端末を含む。上記技術案は、以下のようである。
【課題を解決するための手段】
【０００５】
本発明の実施例の第１の局面によると、移動端末リソースの処理方法を提供する。上記方法は、
クライアント側のコンピュータが、使用者の命令に基づいて、サーバにリソースのＩＤと上記リソースの処理方式とを含むリソース処理要求を送信するステップと、
上記サーバから、移動端末ＡＰＰのインターフェースのＩＤを含み、移動端末が上記移動端末ＡＰＰのインターフェースを呼び出して上記リソースを処理するように指示するための第１の指示と、上記リソースの記憶先アドレスとを受信するステップと、
上記リソースの記憶先アドレスから上記リソースをダウンロードし、ダウンロードした上記リソースと上記第１の指示を移動端末に送信して、上記移動端末が上記移動端末ＡＰＰのインターフェースを呼び出して上記リソースを処理するようにするステップとを含む。
【０００６】
選択的に、上記リソースの記憶先アドレスから上記リソースをダウンロードするステップは、
上記移動端末にインストールされているすべての移動端末ＡＰＰのＩＤをスキャンするステップと、
上記サーバから送信された上記移動端末ＡＰＰのＩＤに基づいて、上記移動端末に上記移動端末ＡＰＰがインストールされているか否かを検出するステップと、
上記移動端末に上記移動端末ＡＰＰがインストールされていることが検出されると、上記リソースの記憶先アドレスから上記リソースをダウンロードするステップとを含む。
【０００７】
選択的に、上記方法は、
上記サーバから、上記移動端末ＡＰＰのインターフェースのＩＤと上記リソースのＩＤとを含み、移動端末が上記移動端末ＡＰＰのインターフェースを呼び出して上記リソースの処理結果を返すように指示するための第２の指示を受信するステップと、
上記第２の指示を上記移動端末に送信し、上記移動端末からの上記リソースの処理結果を上記サーバに送信するステップとをさらに含む。
【０００８】
本発明の実施例の第２の局面によると、移動端末リソースの処理方法を提供する。上記方法は、
サーバがクライアント側のコンピュータから、リソースのＩＤと上記リソースの処理方式とを含むリソース処理要求を受信するステップと、
予め設定されたリソースの処理方式-移動端末ＡＰＰのインターフェースのＩＤの対応関係から、上記リソースの処理方式に対応し、且つ上記リソースを処理する移動端末ＡＰＰのインターフェースのＩＤを取得し、予め設定されたリソースのＩＤ-記憶先アドレスの対応関係から、上記リソースのＩＤに対応する上記リソースの記憶先アドレスを取得するステップと、
移動端末ＡＰＰのインターフェースのＩＤを含み、移動端末が上記移動端末ＡＰＰのインターフェースを呼び出して上記リソースを処理するように指示するための第１の指示を生成し、上記リソースの記憶先アドレスと上記第１の指示とを上記クライアント側のコンピュータに返すステップとを含む。
【０００９】
選択的に、上記方法は、
上記移動端末ＡＰＰのインターフェースのＩＤと上記リソースのＩＤとを含み、移動端末が上記移動端末ＡＰＰのインターフェースを呼び出して上記リソースの処理結果を返すように指示するための第２の指示を生成し、上記第２の指示を上記クライアント側のコンピュータに送信するステップをさらに含む。
【００１０】
本発明の実施例の第３の局面によると、移動端末リソースの処理方法を提供する。上記方法は、
移動端末がクライアント側のコンピュータから、移動端末ＡＰＰのインターフェースのＩＤを含み、移動端末が上記移動端末ＡＰＰのインターフェースを呼び出してリソースを処理するように指示するための第１の指示と、上記リソースを受信するステップと、
上記第１の指示に応じて、上記移動端末ＡＰＰのインターフェースを呼び出して上記リソースを処理するステップとを含む。
【００１１】
選択的に、上記方法は、
上記クライアント側のコンピュータから、上記移動端末ＡＰＰのインターフェースのＩＤと上記リソースのＩＤとを含み、移動端末が上記移動端末ＡＰＰのインターフェースを呼び出して上記リソースの処理結果を返すように指示するための第２の指示を受信するステップと、
上記第２の指示に応じて、上記移動端末ＡＰＰのインターフェースを呼び出して上記リソースの処理結果を返し、上記リソースの処理結果を上記クライアント側のコンピュータに送信するステップとをさらに含む。
【００１２】
本発明の実施例の第４の局面によると、移動端末リソースの処理装置を提供する。上記装置は、
使用者の命令に基づいて、サーバにリソースのＩＤと上記リソースの処理方式とを含むリソース処理要求を送信する送信モジュールと、
上記サーバから、移動端末ＡＰＰのインターフェースのＩＤを含み、移動端末が上記移動端末ＡＰＰのインターフェースを呼び出して上記リソースを処理するように指示するための第１の指示と、上記リソースの記憶先アドレスとを受信する第１の受信モジュールと、
上記リソースの記憶先アドレスから上記リソースをダウンロードし、ダウンロードした上記リソースと上記第１の指示とを移動端末に送信して、上記移動端末が上記移動端末ＡＰＰのインターフェースを呼び出して上記リソースを処理するようにするダウンロードモジュールとを含む。
【００１３】
選択的に、上記ダウンロードモジュールは、
上記移動端末にインストールされているすべての移動端末ＡＰＰのＩＤをスキャンし、
上記サーバから送信された上記移動端末ＡＰＰのＩＤに基づいて、上記移動端末に上記移動端末ＡＰＰがインストールされているか否かを検出し、
上記移動端末に上記移動端末ＡＰＰがインストールされていることが検出されると、上記リソースの記憶先アドレスから上記リソースをダウンロードし、ダウンロードした上記リソースと上記第１の指示とを移動端末に送信して、上記移動端末が上記移動端末ＡＰＰのインターフェースを呼び出して上記リソースを処理するようにする。
【００１４】
選択的に、上記第１の受信モジュールは、さらに、
上記サーバから、上記移動端末ＡＰＰのインターフェースのＩＤと上記リソースのＩＤとを含み、移動端末が上記移動端末ＡＰＰのインターフェースを呼び出して上記リソースの処理結果を返すように指示するための第２の指示を受信し、
上記第２の指示を上記移動端末に送信し、上記移動端末からの上記リソースの処理結果を上記サーバに送信する。
【００１５】
本発明の実施例の第５の局面によると、移動端末リソースの処理装置を提供する。上記装置は、
クライアント側のコンピュータから、リソースのＩＤと上記リソースの処理方式とを含むリソース処理要求を受信する第２の受信モジュールと、
予め設定されたリソースの処理方式-移動端末ＡＰＰのインターフェースのＩＤの対応関係から、上記リソースの処理方式に対応し、且つ上記リソースを処理する移動端末ＡＰＰのインターフェースのＩＤを取得し、予め設定されたリソースのＩＤ-記憶先アドレスの対応関係から、上記リソースのＩＤに対応する上記リソースの記憶先アドレスを取得する取得モジュールと、
移動端末ＡＰＰのインターフェースのＩＤを含み、移動端末が上記移動端末ＡＰＰのインターフェースを呼び出して上記リソースを処理するように指示するための第１の指示を生成し、上記リソースの記憶先アドレスと上記第１の指示とを上記クライアント側のコンピュータに返すフィードバックモジュールとを含む。
【００１６】
選択的に、上記フィードバックモジュールは、さらに、
上記移動端末ＡＰＰのインターフェースのＩＤと上記リソースのＩＤとを含み、移動端末が上記移動端末ＡＰＰのインターフェースを呼び出して上記リソースの処理結果を返すように指示するための第２の指示を生成し、上記第２の指示を上記クライアント側のコンピュータに送信する。
【００１７】
本発明の実施例の第６の局面によると、移動端末リソースの処理装置を提供する。上記装置は、
クライアント側のコンピュータから、移動端末ＡＰＰのインターフェースのＩＤを含み、移動端末が上記移動端末ＡＰＰのインターフェースを呼び出してリソースを処理するように指示するための第１の指示と、上記リソースとを受信する第３の受信モジュールと、
上記第１の指示に応じて、上記移動端末ＡＰＰのインターフェースを呼び出して上記リソースを処理する呼び出しモジュールとを含む。
【００１８】
選択的に、上記第３の受信モジュールは、さらに、
上記クライアント側のコンピュータから、上記移動端末ＡＰＰのインターフェースのＩＤと上記リソースのＩＤとを含み、移動端末が上記移動端末ＡＰＰのインターフェースを呼び出して上記リソースの処理結果を返すように指示するための第２の指示を受信し、
上記呼び出しモジュールは、さらに、
上記第２の指示に応じて、上記移動端末ＡＰＰのインターフェースを呼び出して上記リソースの処理結果を返し、上記リソースの処理結果を上記クライアント側のコンピュータに送信する。
【００１９】
本発明の実施例の第７の局面によると、クライアント側のコンピュータを提供する。上記クライアント側のコンピュータは、
プロセッサ、メモリ、及び１つ或いは１つ以上のプログラムを含み、
１つ或いは１つ以上のプログラムは、上記メモリに記憶され、１つ或いは１つ以上の上記プロセッサにより実行され、
上記１つ或いは１つ以上のプログラムは、
使用者の命令に基づいて、サーバにリソースのＩＤと上記リソースの処理方式とを含むリソース処理要求を送信するための指令と、
上記サーバから、移動端末ＡＰＰのインターフェースのＩＤを含み、移動端末が上記移動端末ＡＰＰのインターフェースを呼び出して上記リソースを処理するように指示するための第１の指示と、上記リソースの記憶先アドレスとを受信するための指令と、
上記リソースの記憶先アドレスから上記リソースをダウンロードし、ダウンロードした上記リソースと上記第１の指示を移動端末に送信して、上記移動端末が上記移動端末ＡＰＰのインターフェースを呼び出して上記リソースを処理するようにするための指令とを含む。
【００２０】
本発明の実施例の第８の局面によると、サーバを提供する。上記サーバは、
プロセッサ、メモリ、及び１つ或いは１つ以上のプログラムを含み、
１つ或いは１つ以上のプログラムは、上記メモリに記憶され、１つ或いは１つ以上の上記プロセッサにより実行され、
上記１つ或いは１つ以上のプログラムは、
クライアント側のコンピュータから、リソースのＩＤと上記リソースの処理方式とを含むリソース処理要求を受信するための指令と、
予め設定されたリソースの処理方式-移動端末ＡＰＰのインターフェースのＩＤの対応関係から、上記リソースの処理方式に対応し、且つ上記リソースを処理する移動端末ＡＰＰのインターフェースのＩＤを取得し、予め設定されたリソースのＩＤ-記憶先アドレスの対応関係から、上記リソースのＩＤに対応する上記リソースの記憶先アドレスを取得するための指令と、
移動端末ＡＰＰのインターフェースのＩＤを含み、移動端末が上記移動端末ＡＰＰのインターフェースを呼び出して上記リソースを処理するように指示するための第１の指示を生成し、上記リソースの記憶先アドレスと上記第１の指示とを上記クライアント側のコンピュータに返すための指令とを含む。
【００２１】
本発明の実施例の第９の局面によると、移動端末を提供する。上記移動端末は、
プロセッサ、メモリ、及び１つ或いは１つ以上のプログラムを含み、
１つ或いは１つ以上のプログラムは、上記メモリに記憶され、１つ或いは１つ以上の上記プロセッサにより実行され、
上記１つ或いは１つ以上のプログラムは、
クライアント側のコンピュータから、移動端末ＡＰＰのインターフェースのＩＤを含み、移動端末が上記移動端末ＡＰＰのインターフェースを呼び出してリソースを処理するように指示するための第１の指示と、上記リソースとを受信するための指令と、
上記第１の指示に応じて、上記移動端末ＡＰＰのインターフェースを呼び出して上記リソースを処理するための指令とを含む。
本発明の実施例の第１０の局面によると、プロセッサに実行されることにより、上記移動端末リソースの処理方法を実現するプログラムを提供する。
本発明の実施例の第１１の局面によると、上記プログラムが記録された記録媒体を提供する。
【００２２】
理解すべきことは、上記一般的な記述と以下の詳しい記述は、ただ例示的なものであって、解釈のためのものであり、本発明を限定しない。
【発明の効果】
【００２３】
本発明によると、クライアント側のコンピュータは、サーバからのリソースの記憶先アドレスと第１の指示を受信し、リソースの記憶先アドレスからリソースをダウンロードし、ダウンロードしたリソースと第１の指示を移動端末に送信し、移動端末は、当該リソースと第１の指示を受信した後、第１の指示に応じて、上記移動端末ＡＰＰのインターフェースを自動的に呼び出してリソースを処理することによって、当該リソースの使用を完成し、移動端末リソースのダウンロードから移動端末リソースの使用までの操作ステップを簡素化し、使用者の時間を節約する、という効果がある。
【００２４】
理解すべきことは、上記一般的な記述と以下の詳しい記述は、ただ例示的なものであって、本発明を限定しない。
【図面の簡単な説明】
【００２５】
ここの図面は、明細書に合併されて明細書の一部を構成し、本発明に符合する実施例を例示して、明細書に合わせて本発明の原理を解釈する。
【図１】一つの例示的な実施例による技術案の使用環境を例示的に示す図である。
【図２】一つの例示的な実施例による移動端末リソースの処理方法を示す例示的なフローチャートである。
【図３】一つの例示的な実施例による他の移動端末リソースの処理方法を示す例示的なフローチャートである。
【図４】一つの例示的な実施例による他の移動端末リソースの処理方法を示す例示的なフローチャートである。
【図５】一つの例示的な実施例による他の移動端末リソースの処理方法を示す例示的なフローチャートである。
【図６】一つの例示的な実施例による移動端末リソースの処理装置の構成を例示的に示す図である。
【図７】一つの例示的な実施例によるクライアント側のコンピュータの構成を例示的に示す図である。
【図８】一つの例示的な実施例による移動端末リソースの処理装置の構成を例示的に示す図である。
【図９】一つの例示的な実施例によるサーバの構成を例示的に示す図である。
【図１０】一つの例示的な実施例による移動端末リソースの処理装置の構成を例示的に示す図である。
【図１１】一つの例示的な実施例による移動端末の構成を例示的に示す図である。上記図面を通じて本発明の明確な実施例を例示し、以下にさらに詳しく記述する。このような図面と文字記述は本発明の旨の範囲を制限するものではなく、特定な実施例を参照することによって、本技術分野の当業者に本発明の概念を理解させるためのものである。
【発明を実施するための形態】
【００２６】
本発明の目的、技術案、及び利点を明確にするために、本発明をさらに詳しく説明する。ここで、本発明の例示的な実施形態及びその説明は、本発明を解釈するためのものであって、本発明を限定しない。
【００２７】
本発明の実施例の技術案の使用環境は、図１に示すようである。図１を参照すると、サーバ１０とクライアント側のコンピュータ１１が接続され、クライアント側のコンピュータ１１には移動端末１２が接続される。サーバ１０には、例えば、イメージ、ビデオ、電子ブック、音楽、及びＡＰＰなどの各種移動端末リソースが格納されている。クライアント側のコンピュータ１１とサーバ１０は、コンピュータネットワークを形成し、コンピュータネットワークを通じてサーバ１０に格納されている移動端末リソースをアクセスし、ダウンロードすることができる。移動端末１２は、汎用直列バス（Ｕｎｉvｅｒｓａｌ Ｓｅｒｉａｌ Ｂｕｓ，ＵＳＢと略称する）、又はＷｉ-Ｆｉを通じてクライアント側のコンピュータ１１に接続される。クライアント側のコンピュータ１１は、ダウンロードした移動端末リソースを移動端末１２に提供するだけでなく、移動端末１２を管理することもできる。例えば、移動端末１２のシステムファイル、メッセージ、連絡先を総合的に管理することができ、随時に移動端末１２の重要なデータをバックアップ、及び復元することができる。クライアント側のコンピュータ１１として、デスクトップコンピュータ、ノートパソコンなどがあり、移動端末１２として、スマートフォン、タブリッドＰＣなどがある。
【００２８】
説明すべきことは、本発明の実施例において、移動端末リソースは、コンピュータネットワークから提供され、且つ移動端末のＡＰＰ（Ａｐｐｌｉｃａｔｉｏｎ，ＡＰＰと略称する）により処理されるリソースであってもよく、イメージ、ビデオ、電子ブック、音楽、及びＡＰＰを含むがこれに限定されない。リソースの処理方式は、イメージを壁紙に設定、ビデオの再生、電子ブックの閲覧、音楽を着信音に設定、ＡＰＰのインストールなどを含むがこれに限定されない。移動端末のＡＰＰは、移動端末のＯＳをサポートする各種のアプリケーションであってもよく、イメージを壁紙に設定するＡＰＰ、ビデオプレイヤー、電子ブック閲覧器、音楽を着信音に設定するＡＰＰ、ＡＰＰをインストールするＡＰＰを含むがこれに限定されない。
【００２９】
本発明の実施例は、移動端末リソースの処理方法、装置、及びデバイスを提供し、当該デバイスは、クライアント側のコンピュータ、サーバ、及び移動端末を含む。以下に、図面を参照しながら本発明を詳しく説明する。
【００３０】
図２は、本発明の実施例による移動端末リソースの処理方法を示し、当該方法は、クライアント側のコンピュータにより実行されることができる。図２に示されたように、当該方法は、以下のようなステップを含む。
【００３１】
ステップ１０１において、使用者の命令に基づいて、サーバへリソース処理要求を送信する。
【００３２】
ここで、当該リソース処理要求は、リソースのＩＤ（Ｉｄｅｎｔｉｔｙ）とリソースの処理方式を含む。
【００３３】
ステップ１０２において、サーバからのリソースの記憶先アドレスと第１の指示を受信する。
【００３４】
ここで、当該第１の指示は、当該リソースを処理する移動端末ＡＰＰのインターフェースのＩＤを含み、第１の指示は、移動端末が当該移動端末ＡＰＰのインターフェースを呼び出してリソースを処理するように指示するために用いられる。
ステップ１０３において、リソースの記憶先アドレスから当該リソースをダウンロードし、ダウンロードしたリソースと当該第１の指示を移動端末へ送信して、移動端末が当該移動端末ＡＰＰのインターフェースを呼び出して当該リソースを処理するようにする。
【００３５】
本発明の実施例は、クライアント側のコンピュータを通じてサーバからのリソースの記憶先アドレスと第１の指示を受信し、リソースの記憶先アドレスからリソースをダウンロードし、ダウンロードしたリソースと第１の指示を移動端末へ送信する。移動端末は、当該リソースと第１の指示を受信した後、当該第１の指示に応じて移動端末ＡＰＰのインターフェースのＩＤに対応するインターフェースを自動的に呼び出して当該リソースを処理することによって、当該リソースの使用を完成し、移動端末リソースのダウンロードから移動端末リソースの使用までの操作ステップを簡素化し、使用者の時間を節約する。
【００３６】
図３は、本発明の実施例による他の移動端末リソースの処理方法を示し、当該方法は、サーバにより実行されることができる。図３に示されたように、当該方法は、以下のようなステップを含む。
【００３７】
ステップ２０１において、クライアント側のコンピュータから送信されたリソース処理要求を受信する。
【００３８】
ここで、当該リソース処理要求は、リソースのＩＤ及びリソースの処理方式を含む。
ステップ２０２において、予め設定されたリソースの処理方式-移動端末ＡＰＰのインターフェースのＩＤの対応関係から、リソースの処理方式に対応し、且つ当該リソースを処理する移動端末ＡＰＰのインターフェースのＩＤを取得し、予め設定されたリソースのＩＤ-記憶先アドレスの対応関係から、リソース処理要求のうちのリソースのＩＤに対応するリソースの記憶先アドレスを取得する。
【００３９】
ステップ２０３において、第１の指示を生成し、取得したリソースの記憶先アドレスと第１の指示をクライアント側のコンピュータに伝送する。
【００４０】
ここで、当該第１の指示は、当該リソースを処理する移動端末ＡＰＰのインターフェースのＩＤを含み、第１の指示は、移動端末が当該移動端末ＡＰＰのインターフェースを呼び出してリソースを処理するように指示するために用いられる。
【００４１】
本発明の実施例は、クライアント側のコンピュータを通じてサーバからのリソースの記憶先アドレスと第１の指示を受信し、リソースの記憶先アドレスからリソースをダウンロードし、ダウンロードしたリソースと第１の指示を移動端末に送信する。移動端末は、当該リソースと第１の指示を受信した後、当該第１の指示に応じて移動端末ＡＰＰのインターフェースのＩＤに対応するインターフェースを自動的に呼び出して当該リソースを処理することによって、当該リソースの使用を完成し、移動端末リソースのダウンロードから移動端末リソースの使用までの操作ステップを簡素化し、使用者の時間を節約する。
【００４２】
図４は、本発明の実施例による他の移動端末リソースの処理方法を示し、当該方法は、移動端末により実行されることができる。図４に示されたように、当該方法は、以下のようなステップを含む。
【００４３】
ステップ３０１において、クライアント側のコンピュータから送信されたリソースと第１の指示を受信する。
【００４４】
ここで、当該第１の指示は、当該リソースを処理する移動端末ＡＰＰのインターフェースのＩＤを含み、第１の指示は、移動端末が当該移動端末ＡＰＰのインターフェースを呼び出してリソースを処理するように指示するために用いられる。
【００４５】
ステップ３０２において、当該第１の指示に応じて当該移動端末ＡＰＰのインターフェースを呼び出して当該リソースを処理する。
【００４６】
本発明の実施例は、クライアント側のコンピュータを通じてサーバからのリソースの記憶先アドレスと第１の指示を受信し、リソースの記憶先アドレスからリソースをダウンロードし、ダウンロードしたリソースと第１の指示を移動端末に送信する。移動端末は、当該リソースと第１の指示を受信した後、当該第１の指示に応じて移動端末ＡＰＰのインターフェースのＩＤに対応するインターフェースを自動的に呼び出して当該リソースを処理することによって、当該リソースの使用を完成し、移動端末リソースのダウンロードから移動端末リソースの使用までの操作ステップを簡素化し、使用者の時間を節約する。
【００４７】
図５は、本発明の実施例による更なる移動端末リソースの処理方法を示し、本実施例では、移動端末のうちの携帯電話を例として、当該移動端末リソースの処理方法を具体的に紹介する。図５に示されたように、当該方法は、以下のようなステップを含む。
【００４８】
ステップ４０１において、クライアント側のコンピュータは、使用者の命令に基づいてサーバにリソース処理要求を送信する。
【００４９】
ここで、当該リソース処理要求は、リソースのＩＤ及びリソースの処理方式を含む。
【００５０】
選択的に、使用者は、携帯電話とクライアント側のコンピュータを接続する。クライアント側のコンピュータには、携帯電話を管理するアプリ（例えば、「モバイルフォンアシスタント（Ｍｏｂｉｌｅ Ｐｈｏｎｅ Ａｓｓｉｓｔａｎｔ）」）がインストールされ、使用者は、当該アプリを利用して携帯電話を管理することができる。これと共に、使用者は、当該アプリを利用して、サーバにアップロードされて各種携帯電話リソースを提供するサイトを訪問することができる。使用者は、サイトのリソースを閲覧することができ、携帯電話で処理すべきリソースを選択し、選択されたリソースを処理する命令を当該アプリに送る。当該アプリは、使用者の命令に基づいて、サーバにリソース処理要求を送信する。
【００５１】
使用者が当該サイトからイメージをダウンロードし、ダウンロードしたイメージを直接携帯電話のホーム画面の壁紙に設定しようとすると仮定する。使用者は、サイトのホームページに示されたイメージを閲覧して、気に入るイメージを探す。使用者は、気に入るイメージを見つけると、当該イメージを選択し、イメージの下方の「直接携帯電話のホーム画面の壁紙に設定」のボタンをクリックしてホーム画面の壁紙設定要求を開始する。当該要求は、選択されたイメージのＩＤ、及びイメージの処理方式（即ち、当該イメージを携帯電話のホーム画面の壁紙に設定）を含む。
【００５２】
ステップ４０２において、サーバは、当該処理すべきリソースを処理する携帯電話ＡＰＰのインターフェースのＩＤ、及び処理すべきリソースのＩＤに対応する、処理すべきリソースの記憶先アドレスを取得する。
【００５３】
サーバは、クライアント側のコンピュータから送信されたリソース処理要求を受信した後、予め設定されたリソースの処理方式-携帯電話ＡＰＰのインターフェースのＩＤの対応関係から、処理すべきリソースの処理方式に対応し、且つ当該処理すべきリソースを処理する携帯電話ＡＰＰのインターフェースのＩＤを取得し、予め設定されたリソースのＩＤ-記憶先アドレスの対応関係から、処理すべきリソースのＩＤに対応する、処理すべきリソースの記憶先アドレスを取得する。
【００５４】
例えば、サーバが受信したリソース処理要求が上記ホーム画面の壁紙設定要求であるとする。予め設定されたリソースのＩＤ-記憶先アドレスの対応関係から、ホーム画面の壁紙設定要求に含まれているイメージのＩＤに対応する記憶先アドレスを取得する。当該記憶先アドレスには、当該イメージが格納されている。これと共に、サーバは、予め設定されたリソースの処理方式-携帯電話ＡＰＰのインターフェースのＩＤの対応関係から、ホーム画面の壁紙設定要求に含まれているイメージの処理方式に対応する携帯電話ＡＰＰのインターフェースのＩＤ、即ちイメージをホーム画面の壁紙に設定するＡＰＰのインターフェースのＩＤを取得する。或いは、サーバが受信したリソース処理要求は、指定されたＡＰＰのインストール要求であるとすると、当該指定されたＡＰＰのインストール要求は、指定されたＡＰＰのＩＤ、及び指定されたＡＰＰの処理方式（当該指定されたＡＰＰをインストール）を含む。サーバは、予め設定されたリソースのＩＤ-記憶先アドレスの対応関係から、指定されたＡＰＰのＩＤに対応する記憶先アドレスを取得する。当該記憶先アドレスには、当該ＡＰＰのアンドロイドパッケージ（Ａｎｄｒｏｉｄ Ｐａｃkａgｅ、ＡＰＫと略称する）が格納されている。これと共に、サーバは、予め設定されたリソースの処理方式-携帯電話ＡＰＰのインターフェースのＩＤの対応関係から、当該指定されたＡＰＰの処理方式に対応する携帯電話ＡＰＰのインターフェースのＩＤ、即ちＡＰＰをインストールするインターフェースのＩＤを取得する。
【００５５】
選択的に、ネットワーク維持保護人員は、予めリソースの処理方式-携帯電話ＡＰＰのインターフェースのＩＤの対応関係をサーバに作成しておく。作成する前に、サーバのネットワーク維持保護人員と携帯電話ＡＰＰの開発人員は、共同に協力して当該対応関係を生成することができる。注意すべきことは、本発明の実施例において、携帯電話ＡＰＰのインターフェースのＩＤは、唯一に携帯電話ＡＰＰのインターフェースを識別する。即ち、一つの携帯電話ＡＰＰの異なるインターフェースのＩＤは異なる。例えば、壁紙を設定するＡＰＰは、ホーム画面の壁紙を設定するインターフェースと、ロック画面の壁紙を設定するインターフェースを含む。なお、異なる携帯電話ＡＰＰのインターフェースのＩＤも異なる。
【００５６】
選択的に、ステップ４０２において、サーバは、予め設定されたリソースの処理方法-携帯電話ＡＰＰのＩＤの対応関係から、当該リソースに対応する携帯電話ＡＰＰのＩＤを取得し、取得した当該リソースに対応する携帯電話ＡＰＰのＩＤをクライアント側のコンピュータに送信する。
【００５７】
ステップ４０３において、サーバは、第１の指示を生成し、リソースの記憶先アドレスと第１の指示をクライアント側のコンピュータに返す。
【００５８】
ここで、当該第１の指示は、当該リソースを処理する携帯電話ＡＰＰのインターフェースのＩＤを含み、第１の指示は、携帯電話が当該携帯電話ＡＰＰのインターフェースを呼び出してリソースを処理するように指示するために用いられる。
【００５９】
例えば、サーバは、イメージの記憶先アドレスとイメージをホーム画面の壁紙に設定するＡＰＰのインターフェースのＩＤを取得した後、第１の指示を生成し、第１の指示は、イメージをホーム画面の壁紙に設定するＡＰＰのインターフェースのＩＤを含む。当該イメージの記憶先アドレス、及び第１の指示をクライアント側のコンピュータに返す。
【００６０】
ステップ４０４において、クライアント側のコンピュータは、サーバから送信された当該リソースに対応する携帯電話ＡＰＰのＩＤを受信した後、携帯電話に当該携帯電話ＡＰＰがインストールされているか否かを検出する。
【００６１】
携帯電話に当該携帯電話ＡＰＰがインストールされていることが検出されると、ステップ４０５を実行し、携帯電話に当該携帯電話ＡＰＰがインストールされていないことが検出されると、本処理を終了する。
【００６２】
選択的に、クライアント側のコンピュータは、サーバから送信された、当該リソースに対応する携帯電話ＡＰＰのＩＤを受信した後、携帯電話にインストールされているすべてのＡＰＰのＩＤをスキャンして、インストールされているすべてのＡＰＰのうち当該ＡＰＰが存在するか否かを判断する。携帯電話に当該ＡＰＰがインストールされている場合、ステップ４０５を実行し、携帯電話に当該ＡＰＰがインストールされていない場合、本処理を終了する。
【００６３】
ステップ４０５において、クライアント側のコンピュータは、リソースの記憶先アドレスから当該リソースをダウンロードし、ダウンロードしたリソースと第１の指示を携帯電話に送信する。
【００６４】
選択的に、携帯電話に当該ＡＰＰがインストールされていることが検出されると、クライアント側のコンピュータは、イメージの記憶先アドレスから当該イメージをダウンロードし、ダウンロードしたイメージと第１の指示を携帯電話に送信する。
ステップ４０６において、携帯電話は、クライアント側のコンピュータから送信されたリソースと第１の指示を受信し、当該第１の指示に応じて当該ＡＰＰのインターフェースを呼び出して当該リソースを処理する。
【００６５】
選択的に、携帯電話は、クライアント側のコンピュータから送信されたダウンロードしたイメージと第１の指示を受信した後、イメージをホーム画面の壁紙に設定する当該ＡＰＰのインターフェースを呼び出して、ダウンロードしたイメージをホーム画面の壁紙に設定する。
【００６６】
ステップ４０７において、サーバは、第２の指示を生成し、第２の指示をクライアント側のコンピュータに送信する。
【００６７】
ここで、当該第２の指示は、携帯電話ＡＰＰのインターフェースのＩＤとリソースのＩＤを含み、当該第２の指示は、携帯電話が携帯電話ＡＰＰのインターフェースを呼び出して当該リソースの処理結果を返すように指示するために用いられる。
【００６８】
ここで、当該リソースの処理結果は、携帯電話が当該リソースを処理したか否かを示すためのものである。選択的に、本実施例において、本ステップ４０７とステップ４０３の実行順番は限定されておらず、ステップ４０７は、ステップ４０３と同時に実行することができる。サーバは、第１の指示をクライアント側のコンピュータに返すとき(ステップ４０３を参照）、第２の指示も一緒に伝送することができる。
【００６９】
サーバがイメージの記憶先アドレス、第１の指示、及び第２の指示を一つの命令にパッケージングしてクライアント側のコンピュータに送信するとすると、当該命令は、ｃａｌｌＳｅｒｖｉｃｅ(「ｓｅｔＷａｌｌｐａｐｅｒ」,ｓｅｔＷａｌｌＰａｐｅｒＣａｌｌｂａｃｋ(ｒｅｓｕｌｔ){},「ｈｔｔｐ://ｅxａｍｐｌｅ.ｃｏｍ/ｍｏｕｎｔａｉｎ.jｐg」)である。ここで、「ｓｅｔＷａｌｌｐａｐｅｒ」は、ホーム画面の壁紙を設定するインターフェースのＩＤを示し、「ｈｔｔｐ://ｅxａｍｐｌｅ．ｃｏｍ/ｍｏｕｎｔａｉｎ．jｐg」は、イメージの記憶先アドレスであり、「ｃａｌｌＳｅｒｖｉｃｅ」は、「ｓｅｔＷａｌｌｐａｐｅｒ」インターフェースを呼び出して当該イメージを処理することを示し、ｓｅｔＷａｌｌＰａｐｅｒＣａｌｌｂａｃk(ｒｅｓｕｌｔ){}は、「ｓｅｔＷａｌｌｐａｐｅｒ」インターフェースを呼び出して当該イメージの処理結果を返すことを示す。「ｓｅｔＷａｌｌＰａｐｅｒＣａｌｌｂａｃk」は、コールバック関数であることが可能である。
【００７０】
ステップ４０８において、クライアント側のコンピュータは、サーバから送信された第２の指示を受信し、当該第２の指示を携帯電話に送信し、携帯電話からのリソースの処理結果をサーバに送信する。
【００７１】
選択的に、携帯電話は、クライアント側のコンピュータから送信された第２の指示に応じてリソースの処理結果をクライアント側のコンピュータに返す。クライアント側のコンピュータは、リソースの処理結果を受信した後、サーバに当該リソースの処理結果を送信する。
【００７２】
本発明の実施例は、クライアント側のコンピュータを通じてサーバからのリソースの記憶先アドレスと第１の指示を受信し、リソースの記憶先アドレスからリソースをダウンロードし、ダウンロードしたリソースと第１の指示を移動端末に送信する。移動端末は、当該リソースと第１の指示を受信した後、当該第１の指示に応じて移動端末ＡＰＰのインターフェースのＩＤに対応するインターフェースを自動的に呼び出して当該リソースを処理することによって、当該リソースの使用を完成し、移動端末リソースのダウンロードから移動端末リソースの使用までの操作ステップを簡素化し、使用者の時間を節約する。
【００７３】
図６は、本発明の実施例による移動端末リソースの処理装置を示す。図６に示されたように、当該装置は、送信モジュール５０１と、第１の受信モジュール５０２と、ダウンロードモジュール５０３とを含む。
【００７４】
送信モジュール５０１は、サーバにリソース処理要求を送信するために用いられ、当該リソース処理要求は、リソースのＩＤ、及びリソースの処理方式を含む。
【００７５】
第１の受信モジュール５０２は、サーバからのリソースの記憶先アドレスと第１の指示を受信するために用いられる。ここで、当該第１の指示は、当該リソースを処理する移動端末ＡＰＰのインターフェースのＩＤを含み、第１の指示は、移動端末が当該移動端末ＡＰＰのインターフェースを呼び出してリソースを処理するように指示するために用いられる。
【００７６】
ダウンロードモジュール５０３は、リソースの記憶先アドレスから当該リソースをダウンロードし、ダウンロードしたリソースと第１の指示を移動端末に送信して、移動端末が当該移動端末ＡＰＰのインターフェースを呼び出して当該リソースを処理するようにするために用いられる。
【００７７】
選択的に、ダウンロードモジュール５０３は、移動端末にインストールされているすべての移動端末ＡＰＰのＩＤをスキャンし、サーバから送信された移動端末ＡＰＰのＩＤに基づいて、移動端末に当該移動端末ＡＰＰがインストールされているか否かを検出し、移動端末に当該移動端末ＡＰＰがインストールされていることが検出されると、リソースの記憶先アドレスから当該リソースをダウンロードし、ダウンロードしたリソースと第１の指示を移動端末に送信して、移動端末が当該移動端末ＡＰＰのインターフェースを呼び出して当該リソースを処理するようにする。
【００７８】
選択的に、第１の受信モジュール５０２は、さらに、サーバから送信された第２の指示を受信する。当該第２の指示は、移動端末ＡＰＰのインターフェースのＩＤとリソースのＩＤを含み、移動端末が移動端末ＡＰＰのインターフェースを呼び出してリソースの処理結果を返すように指示するために用いられる。第１の受信モジュール５０２は、第２の指示を移動端末に送信し、移動端末からのリソースの処理結果をサーバに送信する。
【００７９】
選択的に、図６に示された装置は、図１に示されたクライアント側のコンピュータ１１に設置されることができる。
【００８０】
本発明の実施例は、クライアント側のコンピュータを通じてサーバからのリソースの記憶先アドレスと第１の指示を受信し、リソースの記憶先アドレスからリソースをダウンロードし、ダウンロードしたリソースと第１の指示を移動端末に送信する。移動端末は、当該リソースと第１の指示を受信した後、当該第１の指示に応じて、移動端末ＡＰＰのインターフェースのＩＤに対応するインターフェースを自動的に呼び出して当該リソースを処理することによって、当該リソースの使用を完成し、移動端末リソースのダウンロードから移動端末リソースの使用までの操作ステップを簡素化し、使用者の時間を節約する。
【００８１】
図７は、本発明の実施例によるクライアント側のコンピュータ（例えば、図１に示されたクライアント側のコンピュータ１１）の構成を模式的に示す図である。図７を参照すると、当該クライアント側のコンピュータは、上記実施例による方法を実行することができる。選択的に、
【００８２】
クライアント側のコンピュータ７００は、コンピューターが読み取り可能な記録媒体を一つ以上含むメモリ７１０、入力ユニット７２０、表示ユニット７３０、オーディオ回路７４０、ＷＩＦＩ（Ｗｉｒｅｌｅｓｓ Ｆｉｄｅｌｉｔｙ）モジュール７５０、一つ以上の処理コアを有するプロセッサ７６０、及び電源７７０などの部品を含む。当業者は、図に示されたクライアント側のコンピュータの構成はクライアント側のコンピュータに対する限定ではなく、図示した部品より多い数、または少ない数の部品を備えてもよく、或いは、幾つかの部品の組み合わせ、または異なる部品配置を有してもよい、ことを理解すべきである。
【００８３】
メモリ７１０は、ソフトウェアプログラム及びモジュールを格納するためのものであり、プロセッサ７６０は、メモリ７１０に格納されたソフトウェアプログラム及びモジュールを実行することで、各種機能のアプリ及びデータ処理を実施する。メモリ７１０は、主に、プログラム格納領域とデータ格納領域を有する。プログラム格納領域には、ＯＳ、少なくとも１つの機能を実行するアプリ（例えば、音声再生機能、画像再生機能等）等が格納される。データ格納領域には、クライアント側のコンピュータ７００の使用により作成されたデータ（例えば、オーディオデータ、電話帳等）等が格納される。また、メモリ７１０は、高速ＲＡＭ（Ｒａｎｄｏｍ Ａｃｃｅｓｓ Ｍｅｍｏｒｙ）を含んでもよく、さらに、例えば少なくとも１つの磁気ディスクメモリ、フラッシュメモリなどの不揮発性メモリ、或いは他の揮発性のＳＳＤ（ｓｏｌｉｄ ｓｔａｔｅ ｄｒｉｖｅ）メモリを含んでもよい。また、メモリ７１０は、プロセッサ７６０及び入力ユニット７２０がメモリ７１０にアクセスできるように、メモリ制御器をさらに含んでもよい。
【００８４】
入力ユニット７２０は、数字或いはキャラクター情報の入力を受け付け、ユーザ設定及び機能制御に関するキーボード、マウス、ジョイスティック、光学ボールやトラックボールにより信号入力を発生させるためのものである。入力ユニット７２０は、タッチセンシティブ表面７２１及び他の入力装置７２２を含んでもよい。タッチセンシティブ表面７２１は、タッチパネルやタッチパッドとも呼ばれ、ユーザがその表面上や付近に対するタッチ操作（例えば、ユーザが指やタッチペンなどの任意の適した物や付属品を使用して、タッチセンシティブ表面７２１上やタッチセンシティブ表面７２１付近に対して行う操作）を収集するとともに、予め設定されたプログラムにしたがって、関連する接続装置を駆動する。タッチセンシティブ表面７２１は、選択的に、タッチ検出手段及びタッチ制御器の２つの部分を含んでもよい。ここで、タッチ検出手段は、ユーザのタッチ位置を検出するとともに、タッチ操作による信号を検出し、そのタッチ情報をタッチ制御器に送信する。タッチ制御器は、タッチ検出手段からタッチ情報を受信し、当該情報を接触点座標に変換してプロセッサ７６０に送信するとともに、プロセッサ７６０からのコマンドを受信して実行する。なお、抵抗式、容量式、赤外線式及び表面弾性波式などの様々な方式によりタッチセンシティブ表面７２１を実現することができる。入力ユニット７２０は、タッチセンシティブ表面７２１に加えて、他の入力装置７２２をさらに含んでもよい。他の入力装置７２２は、物理的なキーボード、ファンクションキー（例えば、ボリュームボタン、スイッチボタン等）、トラックボール、マウス、ジョイスティック等の中の一つ又は複数を含んでもよいが、これらに限らない。
【００８５】
表示ユニット７３０は、ユーザが入力した情報やユーザに提供する情報、及びクライアント側のコンピュータ７００の各種のグラフィカル・ユーザー・インターフェース（ＧＵＩ）を表示するためのものであり、これらのグラフィカル・ユーザー・インターフェースは、図形、テキスト、アイコン、ビデオ及びそれらの任意の組合せで構成されることができる。表示ユニット７３０は、表示パネル７３１を含むことができ、表示パネル７３１は、選択的に、ＬＣＤ（Ｌｉｑｕｉｄ Ｃｒｙｓｔａｌ Ｄｉｓｐｌａｙ）、ＯＬＥＤ（Ｏｒｇａｎｉｃ Ｌｉｇｈｔ−Ｅｍｉｔｔｉｎｇ Ｄｉｏｄｅ）等の形態で構成されてもよい。さらに、タッチセンシティブ表面７２１は、表示パネル７３１を覆うように設けられ、タッチセンシティブ表面７２１がその表面または付近に対するタッチ操作を検出すると、その検出結果をプロセッサ７６０に転送してタッチイベントのタイプを確認させ、その後、プロセッサ７６０は、タッチイベントのタイプに基づいて、表示パネル７３１上に対応する視覚的出力を提供するように構成されてもよい。図７において、タッチセンシティブ表面７２１と表示パネル７３１とが２つの独立した部品として出力及び入力の機能を実現するように構成されているが、タッチセンシティブ表面７２１と表示パネル７３１とを集積構成して入力及び出力機能を実現する実施例もあり得る。
【００８６】
オーディオ回路７４０は、スピーカ７４１とマイク７４２を含む。マイク７４２は、ユーザとクライアント側のコンピュータ７００との間のオーディオインタフェースを提供する。オーディオ回路７４０は、受信したオーディオデータから変換された電気信号をスピーカ７４１に転送し、スピーカ７４１により音声信号に変換して出力する。一方、マイク７４２は、収集した音声信号を電気信号に変換し、オーディオ回路７４０が当該電気信号を受信した後オーディオデータに変換し、オーディオデータをプロセッサ７６０に転送して処理してから、例えば他のクライアント側のコンピュータに転送するか、或いはオーディオデータをメモリ７１０に送信して更に処理を行うようにする。オーディオ回路７４０は、クライアント側のコンピュータ７００が外部のイヤホンと通信できるように、イヤホン挿入孔を含んでもよい。
【００８７】
当該クライアント側のコンピュータは、無線通信を実現するために、無線通信ユニット７５０を備えてもよい。当該無線通信ユニット７５０は、ＷｉＦｉ（ｗｉｒｅｌｅｓｓ ｆｉｄｅｌｉｔｙ）モジュールであってもよい。ＷｉＦｉは近距離無線通信技術に属し、ユーザに無線のブロードバンドインターネットアクセスを提供するので、ユーザは、クライアント側のコンピュータ７００の無線通信ユニット７５０を利用して、電子メールの送受信、ウェブの閲覧、ストリーミングメディアのアクセス等を行なうことができる。図７において、無線通信ユニット７５０を示しているが、当該無線通信ユニット７５０は、クライアント側のコンピュータ７００にとって不可欠な構成ではなく、本発明の趣旨を変更しない範囲内で必要に応じて省略することができる、ことを理解すべきである。
【００８８】
プロセッサ７６０は、クライアント側のコンピュータ７００の制御センターであり、各種のインタフェース及び回路を介してクライアント側のコンピュータ全体の各部と接続され、メモリ７１０内に格納されたソフトウェアプログラム及び／又はモジュールを実行または作動させるとともに、メモリ７１０内に格納されたデータを呼び出すことによって、クライアント側のコンピュータ７００の各種機能の実行及びデータの処理を実現することで、クライアント側のコンピュータ全体をコントロールする。選択的に、プロセッサ７６０は、１つ又は複数の処理コアを含んでもよく、アプリプロセッサとモデムプロセッサを集積して構成されてもよい。ここで、アプリプロセッサは、主に、ＯＳ、ユーザインタフェース、及びアプリなどを処理し、モデムプロセッサは、主に、無線通信を処理する。また、上記モデムプロセッサがプロセッサ７６０に集積されなくてもよい、ことを理解すべきである。
【００８９】
クライアント側のコンピュータ７００は、さらに、各部に電力を供給する電源７７０（例えば、バッテリー）を含み、当該電源７７０は、電源管理システムを介してプロセッサ７６０にロジック的に接続されることにより、電源管理システムを介して充電・放電管理、及び電力管理等の機能を実現することができる。電源７７０は、さらに、１つ或いは１つ以上の直流又は交流電源、再充電システム、電源故障検出回路、電源コンバータ又はインバータ、電源状態インジケータ等の任意のアセンブリを含んでもよい。
【００９０】
クライアント側のコンピュータ７００は、図示してはないが、カメラ、ブルートゥースモジュール等をさらに含んでもよいが、ここで、その具体的な説明は省略する。本実施例において、当該クライアント側のコンピュータは、メモリ、プロセッサ、及び、一つ或いは一つ以上のプログラムを含む。ここで、一つ或いは一つ以上のプログラムは、メモリに記憶され、且つ一つ或いは一つ以上のプロセッサにより実行されるとともに、サーバに、リソースのＩＤ、及びリソースの処理方式を含むリソース処理要求を送信し、サーバから、当該リソースを処理する移動端末ＡＰＰのインターフェースのＩＤを含み、移動端末が当該移動端末ＡＰＰのインターフェースを呼び出してリソースを処理するように指示するための第１の指示、およびリソースの記憶先アドレスを受信し、リソースの記憶先アドレスから当該リソースをダウンロードし、ダウンロードしたリソースと第１の指示を移動端末に送信して、移動端末が当該移動端末ＡＰＰのインターフェースを呼び出して当該リソースを処理するようにする、操作を行うための指令を含む。
【００９１】
選択的に、当該プロセッサは、さらに以下のようなステップを実行することができる。即ち、移動端末にインストールされているすべての移動端末ＡＰＰのＩＤをスキャンし、サーバから送信された移動端末ＡＰＰのＩＤに基づいて、移動端末に当該移動端末ＡＰＰがインストールされているか否かを検出し、移動端末に当該移動端末ＡＰＰがインストールされていることが検出されると、リソースの記憶先アドレスから当該リソースをダウンロードし、ダウンロードしたリソースと第１の指示を移動端末に送信して、移動端末が当該移動端末ＡＰＰのインターフェースを呼び出して当該リソースを処理するようにする。
【００９２】
選択的に、当該プロセッサは、さらに以下のようなステップを実行することができる。即ち、サーバから、移動端末ＡＰＰのインターフェースのＩＤとリソースのＩＤを含み、移動端末が移動端末ＡＰＰのインターフェースを呼び出してリソースの処理結果を返すようにするための第２の指示を受信し、第２の指示を移動端末に送信し、移動端末からのリソースの処理結果をサーバに送信する。
【００９３】
図８は、本発明の実施例による更なる移動端末リソースの処理装置を示す。図８に示されたように、当該装置は、第２の受信モジュール６０１と、取得モジュール６０２と、フィードバックモジュール６０３とを含む。
【００９４】
第２の受信モジュール６０１は、クライアント側のコンピュータから送信されたリソース処理要求を受信するために用いられる。当該リソース処理要求は、リソースのＩＤ、及びリソースの処理方式を含む。
【００９５】
取得モジュール６０２は、予め設定されたリソースの処理方式-移動端末ＡＰＰのインターフェースのＩＤの対応関係から、リソースの処理方式に対応し、且つ当該リソースを処理する移動端末ＡＰＰのインターフェースのＩＤを取得し、予め設定されたリソースのＩＤ-記憶先アドレスの対応関係から、処理すべきリソースのＩＤに対応するリソースの記憶先アドレスを取得する。
【００９６】
フィードバックモジュール６０３は、第１の指示を生成し、処理すべきリソースの記憶先アドレスと第１の指示をクライアント側のコンピュータに返すために用いられる。ここで、当該第１の指示は、当該リソースを処理する移動端末ＡＰＰのインターフェースのＩＤを含み、移動端末が当該移動端末ＡＰＰのインターフェースを呼び出してリソースを処理するように指示するために用いられる。
【００９７】
フィードバックモジュール６０３は、さらに第２の指示を生成し、第２の指示をクライアント側のコンピュータに送信する。第２の指示は、移動端末ＡＰＰのインターフェースのＩＤとリソースのＩＤを含み、移動端末が移動端末ＡＰＰのインターフェースを呼び出してリソースの処理結果を返すように指示するために用いられる。
【００９８】
選択的に、図８に示された装置は、図１に示されたサーバ１０に設置されることができる。
【００９９】
本発明の実施例は、クライアント側のコンピュータを通じてサーバからのリソースの記憶先アドレスと第１の指示を受信し、リソースの記憶先アドレスからリソースをダウンロードし、ダウンロードしたリソースと第１の指示を移動端末に送信する。移動端末は、当該リソースと第１の指示を受信した後、当該第１の指示に応じて、移動端末ＡＰＰのインターフェースのＩＤに対応するインターフェースを自動的に呼び出して当該リソースを処理することによって、当該リソースの使用を完成し、移動端末リソースのダウンロードから移動端末リソースの使用までの操作ステップを簡素化し、使用者の時間を節約する。
【０１００】
図９は、本発明の実施例によるサーバ（例えば、図１に示されたサーバ１０）の構成を模式的に示す図である。図９を参照すると、当該サーバは、上記実施例による方法を実行することができる。選択的に、
【０１０１】
当該サーバ１９００は、配置、或いは性能によって比較的に大きい差異が発生する可能性があり、１つ或いは１つ以上のＣＰＵ（ｃｅｎｔｒａｌ ｐｒｏｃｅｓｓｉｎg ｕｎｉｔｓ，中央プロセッサ）１９２２（例えば、１つ或いは１つ以上のプロセッサ）、メモリ１９３２、ＡＰＰ１９４２又はデータ１９４４を記録する１つ或いは１つ以上の記録媒体１９３０（例えば、１つ或いは１つ以上の大容量の記録デバイス）を含んでもよい。ここで、メモリ１９３２と記録媒体１９３０は、一時的に記録するか持久的に記録することができる。記録媒体１９３０に記録されているプログラムは、１つ或いは１つ以上のモジュール（未図示）を含み、各モジュールは、サーバの一連の命令操作を含むことができる。さらに、中央プロセッサ１９２２は、記録媒体１９３０と通信し、サーバ１９００で記録媒体１９３０の一連の命令操作を実行するように設置されてもよい。
【０１０２】
サーバ１９００は、さらに、１つ或いは１つ以上の電源１９２６、１つ或いは１つ以上の有線または無線ネットワークインターフェース１９５０、１つ或いは１つ以上の入出力インターフェース１９５８、１つ或いは１つ以上のキーボード１９５６、及び/或いは、１つ或いは１つ以上のＯＳ１９４１(例えば、Ｗｉｎｄｏｗｓ ＳｅｒｖｅｒＴＭ、Ｍａｃ ＯＳ ＸＴＭ、ＵｎｉｘＴＭ、ＬｉｎｕｘＴＭ、ＦｒｅｅＢＳＤＴＭなど)を含んでもよい。
【０１０３】
サーバ１９００は、ＣＰＵ、メモリ、１つ或いは１つ以上のプログラムを含み、そのうち、１つ或いは１つ以上のプログラムは、メモリに記憶され、１つ或いは１つ以上のＣＰＵにより実行されると共に、クライアント側のコンピュータから、リソースのＩＤ、及びリソースの処理方式を含むリソース処理要求を受信し、予め設定されたリソースの処理方式-移動端末ＡＰＰのインターフェースのＩＤの対応関係から、リソースの処理方式に対応し、且つ当該リソースを処理する移動端末ＡＰＰのインターフェースのＩＤを取得し、予め設定されたリソースのＩＤ-記憶先アドレスの対応関係から、処理すべきリソースのＩＤに対応するリソースの記憶先アドレスを取得し、当該リソースを処理する移動端末ＡＰＰのインターフェースのＩＤを含み、移動端末が当該移動端末ＡＰＰのインターフェースを呼び出してリソースを処理するように指示するための第１の指示を生成し、処理すべきリソースの記憶先アドレスと第１の指示をクライアント側のコンピュータに返す、操作を行うための指令を含む。
【０１０４】
選択的に、ＣＰＵは、さらに以下のステップを実行することができる。即ち、第２の指示を生成し、第２の指示をクライアント側のコンピュータに送信する。第２の指示は、移動端末ＡＰＰのインターフェースのＩＤとリソースのＩＤを含み、移動端末が移動端末ＡＰＰのインターフェースを呼び出してリソースの処理結果を返すように指示するために用いられる。
【０１０５】
図１０は、本発明の実施例による更なる移動端末リソースの処理装置を示し、図１０に示されたように、当該装置は、第３の受信モジュール７０１と、呼び出しモジュール７０２とを含む。
【０１０６】
第３の受信モジュール７０１は、クライアント側のコンピュータがダウンロードしたリソースと第１の指示を受信するために用いられる。ここで、当該第１の指示は、当該リソースを処理する移動端末ＡＰＰのインターフェースのＩＤを含み、移動端末が当該移動端末ＡＰＰのインターフェースを呼び出してリソースを処理するように指示するために用いられる。
【０１０７】
呼び出しモジュール７０２は、当該第１の指示に応じて、当該移動端末ＡＰＰのインターフェースを呼び出して当該リソースを処理するために用いられる。
【０１０８】
選択的に、第３の受信モジュール７０１は、さらに、クライアント側のコンピュータから送信された第２の指示を受信する。第２の指示は、移動端末ＡＰＰのインターフェースのＩＤとリソースのＩＤを含み、移動端末が移動端末ＡＰＰのインターフェースを呼び出してリソースの処理結果を返すように指示するために用いられる。
【０１０９】
呼び出しモジュール７０２は、さらに、第２の指示に応じて、移動端末ＡＰＰのインターフェースを呼び出してリソースの処理結果を返し、リソースの処理結果をクライアント側のコンピュータに送信する。
【０１１０】
選択的に、図１０に示された装置は、図１に示された移動端末１２に設置されることができる。
【０１１１】
本発明の実施例は、クライアント側のコンピュータを通じてサーバからのリソースの記憶先アドレスと第１の指示を受信し、リソースの記憶先アドレスからリソースをダウンロードし、ダウンロードしたリソースと第１の指示を移動端末に送信する。移動端末は、当該リソースと第１の指示を受信した後、当該第１の指示に応じて移動端末ＡＰＰのインターフェースのＩＤに対応するインターフェースを自動的に呼び出して当該リソースを処理することによって、当該リソースの使用を完成し、移動端末リソースのダウンロードから移動端末リソースの使用までの操作ステップを簡素化し、使用者の時間を節約する。
【０１１２】
図１１は、本発明の実施例による移動端末（例えば、図１に示された移動端末１２）の構成を模式的に示す図である。図１１を参照すると、当該移動端末は、上記実施例による方法を実行することができる。選択的に、
【０１１３】
移動端末８００は、通信ユニット１１０、コンピューターが読み取り可能な記録媒体を一つ以上含むメモリ１２０、入力ユニット１３０、表示ユニット１４０、センサー１５０、オーディオ回路１６０、ＷＩＦＩ（Ｗｉｒｅｌｅｓｓ Ｆｉｄｅｌｉｔｙ）モジュール１７０、一つ以上の処理コアを有するプロセッサ１８０、及び電源１９０などの部品を含む。当業者は、図１１に示す移動端末の構成は移動端末に対する限定ではなく、図示した部品より多い数、または少ない数の部品を備えてもよく、或いは、幾つかの部品の組み合わせ、または異なる部品配置を有してもよい、ことを理解すべきである。
【０１１４】
通信ユニット１１０は、情報の送受信または通話中において、信号を受信及び送信するためのものである。当該通信ユニット１１０は、ＲＦ（Ｒａｄｉｏ Ｆｒｅｑｕｅｎｃｙ）回路、ルーター、モデム等のネットワーク通信装置であってもよい。特に、通信ユニット１１０がＲＦ回路である場合、基地局からの下り情報を受信した後、１つ、或いは１つ以上のプロセッサ１８０に渡して処理させる。また、上りデータを基地局に送信する。一般的に、通信ユニットとしてのＲＦ回路は、アンテナ、少なくとも１つのアンプ、チューナー、１つ又は複数の発振器、加入者識別モジュール（ＳＩＭ）カード、受発信機、カプラー、ＬＮＡ（Ｌｏｗ Ｎｏｉｓｅ Ａｍｐｌｉｆｉｅｒ、ローノイズアンプ）、デュプレクサ等を含むが、これらに限らない。なお、通信ユニット１１０は、無線通信でネットワーク、及び他の装置と通信することができる。上記無線通信として、ＧＳＭ（Ｇｌｏｂａｌ Ｓｙｓｔｅｍ ｏｆ Ｍｏｂｉｌｅ ｃｏｍｍｕｎｉｃａｔｉｏｎ）、ＧＰＲＳ（Ｇｅｎｅｒａｌ Ｐａｃｋｅｔ Ｒａｄｉｏ Ｓｅｒｖｉｃｅ）、ＣＤＭＡ（Ｃｏｄｅ Ｄｉｖｉｓｉｏｎ Ｍｕｌｔｉｐｌｅ Ａｃｃｅｓｓ）、ＷＣＤＭＡ（登録商標：Ｗｉｄｅｂａｎｄ Ｃｏｄｅ Ｄｉｖｉｓｉｏｎ Ｍｕｌｔｉｐｌｅ Ａｃｃｅｓｓ）、ＬＴＥ（Ｌｏｎｇ Ｔｅｒｍ Ｅｖｏｌｕｔｉｏｎ）、電子メール、ＳＭＳ（Ｓｈｏｒｔ Ｍｅｓｓａｇｉｎｇ Ｓｅｒｖｉｃｅ）等を含む任意の通信規格またはプロトコルを利用してもよいが、これらに限らない。メモリ１２０は、ソフトウェアプログラム及びモジュールを格納するためのものであり、プロセッサ１８０は、メモリ１２０に格納されたソフトウェアプログラム及びモジュールを実行することで、各種機能のアプリ及びデータ処理を実施する。メモリ１２０は、主に、プログラム格納領域とデータ格納領域を有する。プログラム格納領域には、ＯＳ、少なくとも１つの機能を実行するアプリ（例えば、音声再生機能、画像再生機能等）等が格納される。データ格納領域には、移動端末８００の使用により作成されたデータ（例えば、オーディオデータ、電話帳等）等が格納される。また、メモリ１２０は、高速ＲＡＭ（Ｒａｎｄｏｍ Ａｃｃｅｓｓ Ｍｅｍｏｒｙ）を含んでもよく、さらに、例えば少なくとも１つの磁気ディスクメモリ、フラッシュメモリなどの不揮発性メモリ、或いは他の揮発性のＳＳＤ（ｓｏｌｉｄ ｓｔａｔｅ ｄｒｉｖｅ）メモリを含んでもよい。また、メモリ１２０は、プロセッサ１８０及び入力ユニット１３０がメモリ１２０にアクセスできるように、メモリ制御器をさらに含んでもよい。
【０１１５】
入力ユニット１３０は、数字或いはキャラクター情報の入力を受け付け、ユーザ設定及び機能制御に関するキーボード、マウス、ジョイスティック、光学ボールやトラックボールにより信号入力を発生させるためのものである。入力ユニット１３０は、タッチセンシティブ表面１３１及び他の入力装置１３２を含んでもよい。タッチセンシティブ表面１３１は、タッチパネルやタッチパッドとも呼ばれ、ユーザがその表面上や付近に対するタッチ操作（例えば、ユーザが指やタッチペンなどの任意の適した物や付属品を使用して、タッチセンシティブ表面１３１上やタッチセンシティブ表面１３１付近に対して行う操作）を収集するとともに、予め設定されたプログラムにしたがって、関連する接続装置を駆動する。タッチセンシティブ表面１３１は、選択的に、タッチ検出手段及びタッチ制御器の２つの部分を含んでもよい。ここで、タッチ検出手段は、ユーザのタッチ位置を検出するとともに、タッチ操作による信号を検出し、そのタッチ情報をタッチ制御器に送信する。タッチ制御器は、タッチ検出手段からタッチ情報を受信し、当該情報を接触点座標に変換してプロセッサ１８０に送信するとともに、プロセッサ１８０からのコマンドを受信して実行する。なお、抵抗式、容量式、赤外線式及び表面弾性波式などの様々な方式によりタッチセンシティブ表面１３１を実現することができる。入力ユニット１３０は、タッチセンシティブ表面１３１に加えて、他の入力装置１３２をさらに含んでもよい。他の入力装置１３２は、物理的なキーボード、ファンクションキー（例えば、ボリュームボタン、スイッチボタン等）、トラックボール、マウス、ジョイスティック等の中の一つ又は複数を含んでもよいが、これらに限らない。
【０１１６】
表示ユニット１４０は、ユーザが入力した情報やユーザに提供する情報、及び移動端末８００の各種のグラフィカル・ユーザー・インターフェース（ＧＵＩ）を表示するためのものであり、これらのグラフィカル・ユーザー・インターフェースは、図形、テキスト、アイコン、ビデオ及びそれらの任意の組合せで構成されることができる。表示ユニット１４０は、表示パネル１４１を含むことができ、表示パネル１４１は、選択的に、ＬＣＤ（Ｌｉｑｕｉｄ Ｃｒｙｓｔａｌ Ｄｉｓｐｌａｙ）、ＯＬＥＤ（Ｏｒｇａｎｉｃ Ｌｉｇｈｔ−Ｅｍｉｔｔｉｎｇ Ｄｉｏｄｅ）等の形態で構成されてもよい。さらに、タッチセンシティブ表面１３１は、表示パネル１４１を覆うように設けられ、タッチセンシティブ表面１３１がその表面または付近に対するタッチ操作を検出すると、その検出結果をプロセッサ１８０に転送してタッチイベントのタイプを確認させ、その後、プロセッサ１８０は、タッチイベントのタイプに基づいて、表示パネル１４１上に対応する視覚的出力を提供するように構成されてもよい。図１１において、タッチセンシティブ表面１３１と表示パネル１４１とが２つの独立した部品として出力及び入力の機能を実現するように構成されているが、タッチセンシティブ表面１３１と表示パネル１４１とを集積構成して入力及び出力機能を実現する実施例もあり得る。
【０１１７】
移動端末８００は、さらに、例えば光センサー、運動センサー及び他のセンサーなどの、少なくとも１つのセンサー１５０を含んでもよい。光センサーは、環境光センサーと近接センサーを含んでもよいが、環境光センサーは、環境光の明るさに基づいて、表示パネル１４１の輝度を調整することができ、近接センサーは、移動端末８００が耳元まで移動すると、表示パネル１４１及び／又はバックライトをオフする。運動センサーの一種としての重力加速度センサーは、各方向（一般的には、３軸）における加速度の大きさを検出することができ、静止の状態では、重力の大きさ及びその方向を検出することができるので、携帯電話の姿勢を認識するアプリ（例えば、画面の横縦向きの切り替え、ゲーム、磁力計の姿勢校正）、振動認識に関する機能（例えば、歩数計、パーカッション）等に使用される。移動端末８００には、さらに、ジャイロスコープ、気圧計、湿度計、温度計、赤外線センサー等のほかのセンサーが備えられるが、ここで、その具体的な説明は省略する。
【０１１８】
オーディオ回路１６０、スピーカ１６１、マイク１６２は、ユーザと移動端末８００との間のオーディオインタフェースを提供する。オーディオ回路１６０は、受信したオーディオデータから変換された電気信号をスピーカ１６１に転送し、スピーカ１６１により音声信号に変換して出力する。一方、マイク１６２は、収集した音声信号を電気信号に変換し、オーディオ回路１６０が当該電気信号を受信した後オーディオデータに変換し、オーディオデータをプロセッサ１８０に転送して処理してから、ＲＦ回路１１０を介して例えば他の端末に転送するか、或いはオーディオデータをメモリ１２０に送信して更に処理を行うようにする。オーディオ回路１６０は、移動端末８００が外部のイヤホンと通信できるように、イヤホン挿入孔を含んでもよい。
【０１１９】
当該移動端末は、無線通信を実現するために、無線通信ユニット１７０を備えてもよい。当該無線通信ユニット１７０は、ＷｉＦｉ（ｗｉｒｅｌｅｓｓ ｆｉｄｅｌｉｔｙ）モジュールであってもよい。ＷｉＦｉは近距離無線通信技術に属し、ユーザに無線のブロードバンドインターネットアクセスを提供するので、ユーザは、移動端末８００の無線通信ユニット１７０を利用して、電子メールの送受信、ウェブの閲覧、ストリーミングメディアのアクセス等を行なうことができる。図１１において、無線通信ユニット１７０を示しているが、当該無線通信ユニット１７０は、移動端末８００にとって不可欠な構成ではなく、本発明の趣旨を変更しない範囲内で必要に応じて省略することができる、ことを理解すべきである。
【０１２０】
プロセッサ１８０は、移動端末８００の制御センターであり、各種のインタフェース及び回路を介して移動端末全体の各部と接続され、メモリ１２０内に格納されたソフトウェアプログラム及び／又はモジュールを実行または作動させるとともに、メモリ１２０内に格納されたデータを呼び出すことによって、移動端末８００の各種機能の実行及びデータの処理を実現することで、移動端末全体をコントロールする。プロセッサ１８０は、１つ又は複数の処理コアを含んでもよく、アプリプロセッサとモデムプロセッサを集積して構成されてもよい。ここで、アプリプロセッサは、主に、ＯＳ、ユーザインタフェース、及びアプリなどを処理し、モデムプロセッサは、主に、無線通信を処理する。また、上記モデムプロセッサがプロセッサ１８０に集積されなくてもよい、ことを理解すべきである。
【０１２１】
移動端末８００は、さらに、各部に電力を供給する電源１９０（例えば、バッテリー）を含み、当該電源１９０は、電源管理システムを介してプロセッサ１８０にロジック的に接続されることにより、電源管理システムを介して充電・放電管理、及び電力管理等の機能を実現することができる。電源１９０は、さらに、１つ或いは１つ以上の直流又は交流電源、再充電システム、電源故障検出回路、電源コンバータ又はインバータ、電源状態インジケータ等の任意のアセンブリを含んでもよい。
【０１２２】
移動端末８００は、図示してはないが、カメラ、ブルートゥースモジュール等をさらに含んでもよいが、ここで、その具体的な説明は省略する。本実施例において、当該移動端末は、メモリ、及び、一つ或いは一つ以上のプログラムを含む。ここで、一つ或いは一つ以上のプログラムは、メモリに記憶され、且つ一つ或いは一つ以上のプロセッサにより実行されるとともに、リソースを処理する移動端末ＡＰＰのインターフェースのＩＤを含み、移動端末が当該移動端末ＡＰＰのインターフェースを呼び出してリソースを処理するように指示するための第１の指示、及びクライアント側のコンピュータがダウンロードしたリソースを受信し、当該第１の指示に応じて、当該移動端末ＡＰＰのインターフェースを呼び出して当該リソースを処理する、操作を行うための指令を含む。
【０１２３】
選択的に、当該プロセッサは、さらに、以下のステップを実行することができる。即ち、クライアント側のコンピュータから送信された第２の指示を受信する。第２の指示は、移動端末ＡＰＰのインターフェースのＩＤとリソースのＩＤを含み、移動端末が移動端末ＡＰＰのインターフェースを呼び出してリソースの処理結果を返すように指示するために用いられる。第２の指示に応じて、移動端末ＡＰＰのインターフェースを呼び出してリソースの処理結果を返し、リソースの処理結果をクライアント側のコンピュータに送信する。
【０１２４】
なお、典型的には、本発明に記載の移動端末は、各種の手持ち端末装置であってもよく、本発明の保護範囲をある特定タイプの移動端末に限定すべきではない。
【０１２５】
なお、本発明に係る方法は、さらに、ＣＰＵにより実行されるコンピュータプログラムとしても実現され得る。該コンピュータプログラムがＣＰＵにより実行されると、本発明の方法において限定される上述の機能が実現される。
【０１２６】
なお、上記の方法の各ステップ及びシステム要素は、コントローラ、及びコントローラに上記のステップ又は要素の機能を実現させるコンピュータプログラムを記録するためのコンピュータ読み取り可能な記録媒体によりも実現され得る。
【０１２７】
なお、当業者であれば、本発明に記載のコンピュータ読取り可能な記録媒体（例えば、メモリ）は、揮発性メモリまたは不揮発性メモリのいずれかであってもよく、あるいは、揮発性メモリ及び不揮発性メモリの両方を備えてもよい、とのことを理解すべきである。例えば、不揮発性メモリには、ＲＯＭ、ＰＲＯＭ、ＥＰＲＯＭ、ＥＥＰＲＯＭ、又はフラッシュメモリが含まれてもよく、揮発性メモリには、外部のキャッシュメモリとして機能するＲＡＭが含まれてもよいが、両方ともこれに限定されるものではない。例えば、ＲＡＭは、ＳＲＡＭ、ＤＲＡＭ、ＳＤＲＡＭ、ＤＤＲ ＳＤＲＡＭ（ダブル・データ・レートＳＤＲＡＭ）、ＥＳＤＲＡＭ（エンハンストＳＤＲＡＭ）、ＳＬＤＲＡＭ（シンクリンクＤＲＡＭ）及びＤＲＲＡＭ（ダイレクトＲａｍｂｕｓ ＲＡＭ）などの多くの形式により実現可能であるが、これに限定されるものではない。ここで上記の記録媒体を開示するのは、本発明の保護範囲にこれらの記録媒体及び他の適したタイプの記録媒体を含ませるためであって、これらのみに限定されないことを意図する。
【０１２８】
当業者は、更に、本発明に記載の種々の例示的な論理ブロック、モジュール、回路、及びアルゴリズムステップが、電子ハードウェア、コンピュータソフトウェア、又は両者の組み合わせにより実現され得る、ことを理解すべきである。ハードウェアとソフトウェアの間のこのような互換性を明確に説明するために、種々の例示的なコンポーネント、ブロック、モジュール、回路、及びステップの機能について、以上において通常的な説明を行っている。このような機能が、ソフトウェアにより実現されるか、又は、ハードウェアにより実現されるかは、具体的なアプリ、及びシステム全体に課される設計上の制約により選択される。当業者は、具体的なアプリそれぞれにおいて、様々な方式を選択して前記機能を実現してもよく、このような選択は、本発明の範囲を逸脱したものとして解釈されるべきではない。
【０１２９】
以上の開示内容に結び付けられて説明される種々の例示的な論理ブロック、モジュール、及び回路は、上述の機能を行なうように設計された汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラム可能な論理デバイス、ディスクリートゲートまたはトランジスタロジック、ディスクリートハードウェアコンポーネント、或いは、これら部材の任意の組み合わせによって、実現又は実行され得る。汎用プロセッサは、マイクロプロセッサであってもよいが、マイクロプロセッサの代わりに、プロセッサは任意の従来のプロセッサ、コントローラ、マイクロコントローラ、又は状態機械であってもよい。プロセッサは、例えば、ＤＳＰとマイクロプロセッサの組み合わせ、複数のマイクロプロセッサ、ＤＳＰコアと１つ又は複数のマイクロプロセッサの組み合わせ、或いは任意のこのような他の構成といった、コンピューティングデバイスの組み合わせとして実現されてもよい。
【０１３０】
以上の開示内容に結び付けられて説明される方法、又は、アルゴリズムのステップは、ハードウェア、プロセッサによって実行されるソフトウェアモジュール、又はこの両者の組合せに直接的に含まれてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該分野において公知の他の形態で存在する任意の記憶媒体に格納されてもよい。例示的な記憶媒体は、プロセッサが記憶媒体から情報を読み出すことができ、且つ、プロセッサが記憶媒体に情報を書き込むことができるように、プロセッサに結合される。代案として、前記記憶媒体はプロセッサと一体的に集積されてもよい。プロセッサと記憶媒体はＡＳＩＣに格納されてもよい。ＡＳＩＣはユーザ移動端末に格納されてもよい。代案として、プロセッサと記憶媒体は別個のコンポーネントとしてユーザ移動端末に格納されてもよい。
【０１３１】
１つ又は複数の例示的な設計として、前記機能はハードウェア、ソフトウェア、ファームウェア又はこれらの任意の組み合わせによって実現され得る。ソフトウェアにより実現される場合、前記機能を１つ又は複数の指令、又はコードとしてコンピュータ読取り可能な媒体に記憶するか、又は、コンピュータ読取り可能な媒体を用いて伝送する。コンピュータ読取り可能な媒体は、コンピュータ記憶媒体及び通信媒体を含み、該通信媒体には、コンピュータプログラムを１つの位置から他の位置へ伝送するための任意の媒体が含まれる。記憶媒体は、汎用又は専用コンピュータによりアクセス可能な任意の使用可能媒体であり得る。例として、該コンピュータ読取り可能な媒体は、ＲＡＭ、ＲＯＭ、ＥＥＰＲＯＭ、ＣＤ−ＲＯＭ又は他の光ディスク記憶デバイス、ディスク記憶デバイス又は他の磁性記憶デバイスを含んでもよく、或いは、携帯できるもの、又は記憶形態が指令又はデータ構造である必要なプログラムコードを記憶するためのもので、且つ、汎用又は専用コンピュータ或いは汎用又は専用プロセッサによりアクセス可能な任意の他の媒体であり得るが、これに限定されるものではない。なお、任意の接続であっても、コンピュータ読取り可能な媒体として称され得る。例えば、同軸ケーブル、光ファイバケーブル、ツイストペア、デジタル加入者回線（ＤＳＬ）、又は、赤外線、ワイヤレス及びマイクロ波のような無線技術を用いて、ウェブサイト、サーバ又は他のリモートソースからソフトウェアを送信する場合、上記の同軸ケーブル、光ファイバケーブル、ツイストペア、ＤＳＬ、又は、赤外線、ワイヤレス及びマイクロ波のような無線技術の何れもが媒体の定義に含まれる。以上の磁気ディスク及び光ディスクは、コンパクトディスク（ＣＤ）、レーザーディスク、光ディスク、デジタルバーサタイルディスク（ＤＶＤ）、フロッピー・ディスク（登録商標）、ブルーレイディスクを含んでおり、磁気ディスクは、通常磁性を利用してデータの再生を行なうものであり、光ディスクは、レーザ光を用いて光学的にデータの再生を行なうものである。また、以上の構成の組合わせもコンピュータ読取り可能な媒体の範囲に含まれるべきである。
【０１３２】
以上の開示内容により、本発明の実施例を例示的に示しているが、請求項により限定される本発明の範囲を逸脱しない限り、多種の変更及び修正を行うことができる。以上に開示された実施例に基づく方法請求項の機能、ステップ及び／又はジェスチャーは、ある特定の手順で実行する必要はない。なお、本発明に係る要素は、個体として記載又は要求されているが、単数であると明確に限定されていない限りは複数であってもよい。
【０１３３】
上記の具体的な実施形態において、本発明の目的、技術案及び有益な効果について更に詳細に説明しているが、上記の内容は、本発明の具体的な実施形態であって、本発明の保護範囲に対する限定ではなく、本発明の趣旨及び原則範囲内で行われる任意の修正、均等の取替、改良などは、その何れも本発明の保護範囲に含まれるべきである、ということを理解すべきである。
【図１】
0005997848.tif 000002
【図２】
0005997848.tif 000003
【図３】
0005997848.tif 000004
【図４】
0005997848.tif 000005
【図５】
0005997848.tif 000006
【図６】
0005997848.tif 000007
【図７】
0005997848.tif 000008
【図８】
0005997848.tif 000009
【図９】
0005997848.tif 000010
【図１０】
0005997848.tif 000011
【図１１】
0005997848.tif 000012